(57)【特許請求の範囲】
【請求項１】
窓が形成された壁部に沿って配置されるシステムキッチンにおいて、
前記窓の両側において前記壁部に取り付けられた一対のウォールキャビネットと、
前記一対のウォールキャビネットの互いに対向する一対の側面に沿って選択的な高さ位置に取り付けられた一対の側板と、
前記一対の側板の間に取り付けられた水切り棚ユニットとを備え、
前記水切り棚ユニットは、前記一対の側板の下端部の間に取り付けられた最下段の水切り棚と、前記一対の側板の上端部の間に取り付けられた最上段の棚とを有し、
前記一対の側板と前記最下段の水切り棚と前記最上段の棚とは、正面から見て全体的に矩形状に構成されていることを特徴とするシステムキッチン。
【請求項２】
前記一対の側板は、前記一対のウォールキャビネットの下面よりも下方に延びて突出した状態で前記一対の側面に取り付けられていることを特徴とする請求項１に記載のシステムキッチン。
【請求項３】
前記最下段の水切り棚は、下方を照明するための照明部を有することを特徴とする請求項１または２に記載のシステムキッチン。
【請求項４】
前記最下段の水切り棚は、前記システムキッチンで調理する人の眼の高さ位置に基づいて位置決めされていることを特徴とする請求項１乃至３のいずれか１項に記載のシステムキッチン。
【発明の詳細な説明】
【０００１】
【発明の属する技術分野】
本発明はシステムキッチンに関し、特に採光窓が形成された壁部に沿って配置されるシステムキッチンにおけるオープン形式の水切り棚ユニットに関するものである。
【０００２】
【従来の技術】
窓が形成された壁部に沿ってシステムキッチンを配置する場合、窓の位置とシンクの位置とがほぼ整列するようにシステムキッチンを配置するのが一般的である。この場合、窓からの入射光をあまり遮ることなく良好な採光率で室内に導き入れることができるように、窓の両側に一対のウォールキャビネット（いわゆる吊り戸棚）を配置し、この一対のウォールキャビネットの間にオープン形式の水切り棚ユニットを配置する構成が提案されている。従来の典型的なシステムキッチンでは、たとえば一対のウォールキャビネットの対向する側面にオープン形式の水切り棚ユニットを直接取り付けている。
【０００３】
一般に、システムキッチンにおいて、ウォールキャビネットの高さ位置は、その下面がレンジフードの下面とほぼ一致するように設定されている。一方、レンジフードの高さ位置は、そのフィルター部とレンジの上面とが消防法の規定により所定の間隔（たとえば８００mm）を隔てるように設定されている。したがって、ウォールキャビネットの下面の高さ位置は、必然的に床面から１６５０mm程度になっている。
【０００４】
【発明が解決しようとする課題】
上述のように、従来のシステムキッチンでは、一対のウォールキャビネットの対向する側面にオープン形式の水切り棚ユニットを直接取り付けている。この場合、水切り棚ユニットの最下段の水切り棚の高さ位置は、一対のウォールキャビネットの下面の高さ位置とほぼ一致し、床面から１６５０mm程度となる。その結果、従来のシステムキッチンでは、オープン形式の水切り棚ユニットの位置が高過ぎて使い難いという不都合があった。
【０００５】
なお、オープン形式の水切り棚ユニットの位置をアイレベル（システムキッチンで調理する人の眼の高さ位置に基づいて規定されるレベル）まで下げるために、一対のウォールキャビネットの下方において一対のウォールユニット（ウォールキャビネットよりも小さい吊り戸棚）を壁部に取り付け、一対のウォールキャビネットの対向する側面および一対のウォールユニットの対向する側面にオープン形式の水切り棚ユニットを直接取り付ける技術が提案されている。しかしながら、この従来技術では、一対のウォールキャビネットに隣接して一対のウォールユニットを新たに付設する必要があるため、製造コストが上昇してしまう。
【０００６】
本発明は、前述の課題に鑑みてなされたものであり、簡易な構成により十分な設計自由度を確保しつつオープン形式の水切り棚ユニットを使い易い高さ位置に設定することのできるシステムキッチンを提供することを目的とする。
【０００７】
【課題を解決するための手段】
前記課題を解決するために、本発明では、窓が形成された壁部に沿って配置されるシステムキッチンにおいて、
前記窓の両側において前記壁部に取り付けられた一対のウォールキャビネットと、
前記一対のウォールキャビネットの互いに対向する一対の側面に沿って選択的な高さ位置に取り付けられた一対の側板と、
前記一対の側板の間に取り付けられた水切り棚ユニットとを備え、
前記水切り棚ユニットは、前記一対の側板の下端部の間に取り付けられた最下段の水切り棚と、前記一対の側板の上端部の間に取り付けられた最上段の棚とを有し、
前記一対の側板と前記最下段の水切り棚と前記最上段の棚とは、正面から見て全体的に矩形状に構成されていることを特徴とするシステムキッチンを提供する。
【０００８】
本発明の好ましい態様によれば、前記一対の側板は、前記一対のウォールキャビネットの下面よりも下方に延びて突出した状態で前記一対の側面に取り付けられていることが好ましい。
【０００９】
また、本発明の好ましい態様によれば、前記最下段の水切り棚は、下方を照明するための照明部を有することが好ましい。また、前記最下段の水切り棚は、前記システムキッチンで調理する人の眼の高さ位置に基づいて位置決めされていることが好ましい。
【００１０】
【発明の実施の形態】
本発明では、たとえば壁部に形成された窓の位置とシンクの位置とがほぼ整列するように配置されるシステムキッチンにおいて、窓の両側には一対のウォールキャビネットが壁部に取り付けられている。また、一対のウォールキャビネットの互いに対向する一対の側面に沿って、一対の側板が選択的な高さ位置に取り付けられている。そして、一対の側板の間には、いわゆるオープン形式の水切り棚ユニットが取り付けられている。
【００１１】
以上のように、本発明のシステムキッチンでは、一対のウォールキャビネットの互いに対向する側面に沿って一対の側板を選択的な高さ位置に取り付け、この一対の側板の間に水切り棚ユニットを取り付ける構成を採用している。この場合、側板はウォールユニットに比べて著しく簡素な構成を有し、一対の側板の下端部の高さ位置を、ひいては水切り棚ユニットの高さ位置を、コスト上昇を招くことなく必要に応じて自由に設定することができるので、設計自由度が極めて高い。
【００１２】
したがって、本発明のシステムキッチンでは、水切り棚ユニットの高さ位置が一対のウォールキャビネットの下面の高さ位置によって制限されることなく、一対の側板の下端部の高さ位置に応じて水切り棚ユニットの取り付け高さを自由に設定することができる。また、一対のウォールキャビネットの下方に一対のウォールユニットを付設する従来技術とは異なり、構成が著しく簡素化し、コストダウンを図ることができる。
このように、本発明のシステムキッチンでは、簡易な構成により十分な設計自由度を確保しつつ、オープン形式の水切り棚ユニットを使い易い高さ位置に設定することができる。
【００１３】
なお、一対の側板を一対のウォールキャビネットの下面よりも下方に延びて突出した状態で一対の側面に取り付けることにより、オープン形式の水切り棚ユニットの高さ位置を十分に低く設定することができる。
また、一対の側板の下端部の間に最下段の水切り棚を取り付け、この最下段の水切り棚に下方を照明するための照明部を設けることにより、たとえばシンクで作業する人の手元を効率良く照明することができる。
さらに、システムキッチンで調理する人の眼の高さ位置に基づいて最下段の水切り棚を位置決めすることにより、すなわちアイレベルに水切り棚を位置決めすることにより、オープン形式の水切り棚ユニットを調理する人の身長に合わせて最も使い易い高さ位置に設定することができ、作業性が著しく向上する。
【００１４】
本発明の実施例を、添付図面に基づいて説明する。
図１は、本発明の実施例にかかるシステムキッチンの全体構成を概略的に示す斜視図である。また、図２は、図１のシステムキッチンの要部構成を概略的に示す正面図であって、一対のウォールキャビネットとオープン形式の水切り棚ユニットと窓との位置関係を示している。さらに、図３は、図２の線Ａ−Ａに沿った断面図であって、オープン形式の水切り棚ユニットの断面構成を詳細に示している。なお、図３では、図面の明瞭化のために窓部分の断面の図示を省略している。
【００１５】
図１を参照すると、本実施例のシステムキッチンＳは、採光のための窓１が形成された壁Ｗに沿って床Ｆの上に設置されている。さらに具体的には、この窓１の位置とシンク２の位置とが水平方向に沿ってほぼ整列するように、システムキッチンＳが配置されている。
【００１６】
システムキッチンＳは、壁Ｗに沿って床Ｆの上に載置されたベースキャビネット３を備えている。ベースキャビネット３の上部には、システムキッチンＳに向かって左側からレンジ４と、シンク２を挟んで一対のカウンタ５が設けられている。また、シンク２に隣接して、たとえば湯水混合型の水栓６が設けられている。さらに、レンジ４の上方にはレンジフード７が設けられ、窓１の両側には一対のウォールキャビネット８および９が設けられている。
【００１７】
レンジフード７並びに一対のウォールキャビネット８および９はともに壁Ｗに取り付けられ、レンジフード７の下面と一対のウォールキャビネット８および９の下面とがほぼ一致している。なお、レンジフード７の高さ位置は、そのフィルター部（不図示）とレンジ４の上面（すなわち火の部分に対応する面）とが消防法の規定によりたとえば８００mm程度の間隔を隔てるように設定されている。したがって、レンジフード７の下面の高さ位置、ひいては一対のウォールキャビネット８および９の下面の高さ位置は、床Ｆの上面から１６５０mm程度になっている。
【００１８】
ここで、図１および図２を参照すると、システムキッチンＳに向かって左側のウォールキャビネット８の右側の側面８ａには、この側面８ａに沿って側板１０が取り付けられている。また、システムキッチンＳに向かって右側のウォールキャビネット９の左側の側面９ａには、この側面９ａに沿って側板１１が取り付けられている。すなわち、一対のウォールキャビネット８および９の互いに対向する側面８ａおよび９ａには、一対の側板１０および１１が取り付けられている。一対の側板１０および１１は、一対のウォールキャビネット８および９の下面よりも下方に延び、その下端部は所望の高さ位置まで達している。
【００１９】
本実施例では、一対の側板１０と１１との間に、オープン形式の水切り棚ユニット１２が取り付けられている。以下、図２および図３を参照して、水切り棚ユニット１２の構成について詳細に説明する。
水切り棚ユニット１２は、図示のように、一対の側板１０および１１の下端部の間に取り付けられた最下段の水切り棚１３を備えている。この水切り棚１３は、図３に示すように、水平面に沿って間隔を隔てて配置された複数の棒状部材１３ａからなる水切り棚部分と、下方を照明するための、ひいてはシンク２で作業する人の手元を照明するための照明部１３ｂとを備えている。なお、水切り棚ユニット１２を最も使い易い高さ位置に設定して作業性を向上させるには、一対の側板１０および１１の下端部の高さ位置を、ひいては最下段の水切り棚１３をアイレベルに設定することが好ましい。
【００２０】
また、水切り棚ユニット１２は、一対の側板１０および１１のほぼ中間部の間に取り付けられた中段の水切り棚１４を備えている。この水切り棚１４は、図３に示すように、水平面に沿って間隔を隔てて配置された複数の棒状部材１４ａから構成されている。
さらに、水切り棚ユニット１２は、一対の側板１０および１１の上端部の間に取り付けられた最上段の棚１５を備えている。この棚１５は、図３に示すように、底部１５ａと一対の周辺立上り部１５ｂとからなる断面形状を有し、水切り棚ではない通常の有底棚部分を構成している。
【００２１】
以上のように、本実施例のシステムキッチンＳでは、一対のウォールキャビネット８および９の対向する側面８ａおよび９ａに沿ってその下面よりも下方に延びた一対の側板１０および１１を取り付け、この一対の側板１０および１１の間にオープン形式の水切り棚ユニット１２を取り付けている。この種の側板１０および１１は従来技術におけるウォールユニットに比べて著しく簡素な構成を有し、一対の側板１０および１１の下端部の高さ位置を、ひいては水切り棚ユニット１２（あるいは最下段の水切り棚１３）の高さ位置を、コスト上昇を招くことなく必要に応じて自由に設定することができる。
【００２２】
すなわち、本実施例のシステムキッチンＳでは、水切り棚ユニット１２の高さ位置が一対のウォールキャビネット８および９の下面の高さ位置によって制限されることなく、一対の側板１０および１１の下端部の高さ位置に応じて水切り棚ユニット１２の取り付け高さを自由に設定することができる。また、一対のウォールキャビネットの下方に一対のウォールユニットを付設する従来技術とは異なり、構成が著しく簡素化し、コストダウンを図ることができる。
【００２３】
なお、上述の実施例では、平均的な身長の人または身長の比較的低い人に合わせて、一対の側板１０および１１が一対のウォールキャビネット８および９の下面よりもかなり下方に延びて突出した状態で取り付けられている。しかしながら、図４に示すように、たとえば身長の高い人に合わせて一対の側板１０および１１を一対のウォールキャビネット８および９の下面よりもわずかに下方に延びて突出した状態で取り付けることもできる。また、必要に応じて、一対のウォールキャビネット８および９の下面よりも下方に延びて突出しない状態で一対の側板１０および１１を取り付けることもできる。
【００２４】
また、上述の実施例では、オープン形式の水切り棚ユニット１２を３段で構成している。しかしながら、段数および各段の棚の構成は上述の実施例に限定されることなく、本発明の範囲内において様々な変形例が可能である。
【００２５】
【発明の効果】
以上説明したように、本発明では、一対のウォールキャビネットの互いに対向する側面に沿って選択的な高さ位置に一対の側板を取り付け、この一対の側板の間に水切り棚ユニットを取り付ける構成を採用しているので、水切り棚ユニットの高さ位置が一対のウォールキャビネットの下面の高さ位置によって制限されることなく、一対の側板の下端部の高さ位置に応じて水切り棚ユニットの取り付け高さを自由に設定することができる。すなわち、本発明のシステムキッチンでは、簡易な構成により十分な設計自由度を確保しつつ、オープン形式の水切り棚ユニットを使い易い高さ位置に設定することができる。
【００２６】
特に、一対の側板を一対のウォールキャビネットの下面よりも下方に突出した状態で一対の側面に取り付けることにより、オープン形式の水切り棚ユニットの高さ位置を十分に低く設定することができる。
また、一対の側板の下端部の間に最下段の水切り棚を取り付け、この最下段の水切り棚に下方を照明するための照明部を設ける構成を採用することにより、たとえばシンクで作業する人の手元を効率良く照明することができる。
さらに、システムキッチンで調理する人の眼の高さ位置に基づいて、いわゆるアイレベルに水切り棚を位置決めする構成を採用することにより、オープン形式の水切り棚ユニットを調理する人の身長に合わせて最も使い易い高さ位置に設定することができ、作業性が著しく向上する。
【図面の簡単な説明】
【図１】本発明の実施例にかかるシステムキッチンの全体構成を概略的に示す斜視図である。
【図２】図１のシステムキッチンの要部構成を概略的に示す正面図であであって、一対のウォールキャビネットとと窓との位置関係を示している。
【図３】図２の線Ａ−Ａに沿った断面図であって、オープン形式の水切り棚ユニットの構成を詳細に示している。
【図４】図２に対応する図であって、オープン形式の水切り棚ユニットの高さ位置を身長の高い人に合わせて設定した例を示している。
【符号の説明】
Ｓ    システムキッチン
Ｗ    壁
Ｆ    床
１    窓
２    シンク
３    ベースキャビネット
４    レンジ
５    カウンタ
６    湯水混合水栓
７    レンジフード
８，９  ウォールキャビネット
１０，１１  側板
１２  オープン形式の水切り棚ユニット
【図１】
0004149083.tif 000002
【図２】
0004149083.tif 000003
【図３】
0004149083.tif 000004
【図４】
0004149083.tif 000005